(57)【要約】【課題】  遊技玉の動きを十分に楽しむことができ、遊技客の興趣を高めることができる遊技機を提供する。【解決手段】  遊技盤面上に発射された遊技玉により遊技を行う遊技機の変動入賞装置において、変動入賞装置は、平面上に障害部を設けた玉移送部と、玉移送部の下方に設けられた入賞口と、玉移送部の平面裏側に略密着状態でエンドレス状に巻回されたマグネットシートと、マグネットシートを回転駆動する駆動モータから成る磁気移送部と、が設けられ、玉移送部の平面越しに磁着した遊技玉を、磁気移送部を介して移送状態に変化を生じさせながら入賞口へ移送することにより達成される。【選択図】      図４
2008245813.tif 000002
【特許請求の範囲】
【請求項１】
遊技盤面上に発射された遊技玉により遊技を行う遊技機の変動入賞装置において、
前記変動入賞装置は、
平面上に障害部を設けた玉移送部と、
前記玉移送部の下方に設けられた入賞口と、
前記玉移送部の平面裏側に略密着状態でエンドレス状に巻回されたマグネットシートと、
前記マグネットシートを回転駆動する駆動モータから成る磁気移送部と、
が設けられ、
前記玉移送部の平面越しに磁着した遊技玉を、前記磁気移送部を介して移送状態に変化を生じさせながら前記入賞口へ移送することを特徴とする変動入賞装置。
【発明の詳細な説明】
【技術分野】
【０００１】
本発明は、遊技領域に設けられ、遊技玉の動きに変化を与え、遊技を演出する遊技機に関する。
【背景技術】
【０００２】
従来、遊技店に設置される遊技機には、略中央部に変動入賞装置が設けられている。前記変動入賞装置には羽根部材を備え、始動条件の成立により羽根部材を所定回数開放制御する補助遊技を行い、前記補助遊技中に前記変動入賞装置の内部の入賞口に入賞した場合に大当たりを発生させる遊技機が存在する。
【０００３】
昨今、前述する遊技機において下記先願が開示されている。この文献に開示されている遊技機の変動入賞装置は、前記変動入賞装置の内部に振り分け部材と誘導部材とを設け、それぞれ往復回動、往復揺動を行わせるようにしたことで、遊技玉に動きを与え、前記遊技玉が前記変動入賞装置の下部に位置する特定入賞口に入賞した場合に大当たりを発生させる遊技機である。
【特許文献１】特開２００３―２９０４８９
【発明の開示】
【発明が解決しようとする課題】
【０００４】
しかしながら、この種の遊技機においては、遊技玉の自重流下による遊技機のゲーム性により、変動入賞装置の内部で遊技玉に動きを与える部材と、前記変動入賞装置の下部に特定入賞口を設けているものが多く存在し、遊技パターンが単調化する傾向があり、遊技客の遊技に対する興趣をそいでいた。
【０００５】
本発明は上記課題を鑑み、遊技玉の動きを十分に楽しむことができ、遊技客の興趣を高めることができる遊技機を提供する。
【課題を解決するための手段】
【０００６】
上記目的を達成するために、遊技盤面上に発射された遊技玉により遊技を行う遊技機の変動入賞装置において、変動入賞装置は、平面上に障害部を設けた玉移送部と、玉移送部の下方に設けられた入賞口と、玉移送部の平面裏側に略密着状態でエンドレス状に巻回されたマグネットシートと、マグネットシートを回転駆動する駆動モータから成る磁気移送部と、が設けられ、玉移送部の平面越しに磁着した遊技玉を、磁気移送部を介して移送状態に変化を生じさせながら入賞口へ移送することにより達成される。
【発明の効果】
【０００７】
本発明によれば、玉移送部の平面越しに磁着した遊技玉を、磁気移送部を介して移送状態に変化を生じさせながら入賞口へ移送することで、該遊技玉の動きを十分に楽しむことができ、遊技客の興趣を高めることができる遊技機を提供することができる。
【実施例１】
【０００８】
以下、各図面に基づき本発明の遊技機１を詳細に説明する。  図１は変動入賞装置１１を供えた遊技機１の正面図を示す図である。図１に示すとおり、前記遊技機１は前面にガラス扉（不図示）越しに遊技領域３を有し、該遊技領域３の略中央位置には演出表示部１３を備えた変動入賞装置１１と、遊技領域３に設けられ、該変動入賞装置１１の下部に位置し遊技玉を取り込む複数の始動入賞口３ａと、が配されている。
【０００９】
また、遊技機１の下方位置には、遊技客が遊技玉を投入する打玉供給皿５と、前記打玉供給皿５に払い出される賞品玉が該前記打玉供給皿５に収まりきれなくなる場合に払出しを行う余剰玉受皿７と、遊技客が操作を行う遊技玉発射用の操作ハンドル９と、をそれぞれ備えている。
【００１０】
図２は変動入賞装置１１の外観斜視図を示す図である。変動入賞装置１１は、略中央に数字、文字、図柄等の表示記号や可動体などの役物を変動表示させる演出表示部１３と、該演出表示部１３の下部に位置し、転動する遊技玉の障害物と成る凸部１５ａと、遊技玉を下方に案内する案内部１５ｂと、を配した中央ステージ１５と、該演出表示部１３の両側面に設けられ、遊技玉を前記中央ステージ１５に導く、蛇行形状の玉通路１７と、前記中央ステージ１７から下方に位置し、左右に往復稼動する特定入賞口２１に遊技玉を案内する玉移送部１９と、前記特定入賞口２１に入らなかった遊技玉を遊技領域の裏側へ排出する玉排出口２３と、から構成されている。
【００１１】
また、前記変動入賞装置１１には、前記演出表示部１３の両側に設けられた前記玉通路１７に連通し、遊技中、上方向より落下してくる遊技玉を変動入賞装置１１の内部へ導くための玉受入口１１ａと、羽根部材１１ｂが、該変動入賞装置１１の外周を覆う枠体１１ｃに設けられている。前記玉受入口１１ａは通常、前記羽根部材１１ｂにより閉口されており、始動条件の成立によって羽根部材１１ｂが可動し、玉受入口１１ａが開口する。
【００１２】
図３は玉移送部１９の部分断面図を示す図である。玉移送部１９は、演出表示部１３の下部に位置する中央ステージ１５から下方に位置する特定入賞口２１に遊技玉を移送するものであり、その平面には複数の丸棒１９ａが配置されている。また、玉移送部１９の背面内部には、該玉移送部１９の平面裏側に沿って回転駆動する磁気シート部２４を設けている。
【００１３】
磁気シート部２４は、玉移送部１９の上端と下端に位置し、両端に支持ローラ２４ａを設けた回転軸２４ｂと、上下の前記支持ローラ２４ａに巻回されたマグネットシート２４ｃと、前記マグネットシート２４ｃを回転駆動させるモータＭと、から構成されている。モータＭには駆動ギア２４ｄが設けられ、下端側の回転軸２４ｂに設けられた従動ギア２４ｆと駆動ベルト２４ｅにて巻回され、マグネットシート２４ｃに回転を伝達する。
【００１４】
回転駆動するマグネットシート２４ｃは、磁気を帯びたシート形状であり、玉移送部１９の平面に転動する遊技玉を平面越しに磁着し、該遊技玉を下方に移送する。マグネットシート２４ｃの回転速度は、遊技玉の自重落下よりも遅く回転を行うものとし、磁着した遊技玉は遊技領域３を自重落下する遊技玉よりも遅い速度で下方に移送される。また、遊技玉を下方へ移送中、玉移送部１９の表面に配した複数の丸棒１９ａに当接し、その落下方向を変化させ、左右に往復稼動する特定入賞口２１、もしくは前記特定入賞口２１の下部に設けられた玉排出口２３へ導く。玉移送部１９の下方には磁着した遊技玉を離着し下方に自重落下させる離着部１９ｂが設けられている。
【００１５】
また、演出表示部１３の演出効果（例えばリーチ等）と連動し、マグネットシート２４ｃを回転させるモータＭを逆回転、もしくは回転停止する。前述より、平面越しに磁着した遊技玉は上方に移送、もしくは平面越しに移送を止めることで、遊技玉に様々な動きを与え、遊技を演出することができる。
【００１６】
次に、図４、図５を用いて本発明における作用を説明する。  図４は変動入賞装置１１の正面図であり、作用を示す詳細図であり、図５は玉移送部１９にて磁着した遊技玉の移送を示す部分断面図である。  図４に示すとおり、遊技客は始動入賞装置３ａ（図１参照）に投入することで変動入賞装置１１の両側に設けられた羽根部材１１ｂが稼動し、玉受入口１１ａが開放状態と成す。開放状態時に遊技玉を入れ込むと蛇行形状の玉通路１７を自重落下し中央ステージ１５に案内される。前記中央ステージ１５にて、遊技玉は該中央ステージ１５に設けられた凸部１５ａや案内部１５ｂに当接し、玉移送部１９へ転動する。
【００１７】
転動した遊技玉は、図５に示すとおり、玉移送部１９の背面裏側に設けられた磁気シート部２４のマグネットシート２４ｃに玉移送部１９の平面越しに磁着し、該マグネットシート２４ｃの回転方向及び速度にて下方に移送される。下方に移送される遊技玉は、玉移送部１９の平面に設けられた複数の丸棒１９ａに当接し、その移送方向を変化させ、該玉移送部１９の下方に設けられ、左右に往復稼動する特定入賞口２１に入賞するか、玉排出口２３へ移送され遊技領域の裏側へ遊技玉を排出する。
【００１８】
また、下方に移送する遊技玉は、演出表示部１３の演出効果（例えばリーチ等）にて、マグネットシート２４ｃを回転させるモータＭを逆回転、もしくは回転停止することで、平面越しに磁着した遊技玉は、平面上にて上方に移送、もしくは移送を止めることができる。前述の作用により、遊技玉に下方、上方、停止といった様々な動きを与え、遊技客の興趣を高める遊技を演出することができる。
【００１９】
前述する作用により、遊技玉を磁気シート部２４のマグネットシート２４ｃにて玉移送部１９の平面越しに磁着し、遊技玉の移送速度を変化させることで、従来、遊技玉の自重落下にて下方に特定入賞口に投入する遊技機と違い、異なったゲーム性の演出が可能である。また、遊技玉は自重落下の速度より遅く移送されるため、遊技客は遊技玉の動きを十分に楽しむことができ、遊技客の興趣を高めることができる。
【００２０】
本発明において、マグネットシート２４ｃの回転速度は、遊技玉の自重落下よりも遅く回転を行うものとしたが、該遊技玉の自重落下よりも早く回転を行っても良い。
【００２１】
本発明において、マグネットシートは、磁気を帯びたシート形状としたが、平上のマグネットを複数連接したベルトコンベア式や、ゴム状のベルトに複数磁石を配置したものであってもよい。
【００２２】
本発明における遊技機も変動入賞装置は、本内容で説明した遊技方法に限定せず、他の機種（例えば第一種遊技機等）にも転用可能とする。
【図面の簡単な説明】
【００２３】
【図１】変動入賞装置を供えた遊技機１の正面図を示す図である。
【図２】変動入賞装置の外観斜視図を示す図である。
【図３】玉移送部の部分断面図を示す図である。
【図４】変動入賞装置の正面図であり、作用を示す詳細図である。
【図５】玉移送部にて磁着した遊技玉の移送を示す部分断面図である。
【符号の説明】
【００２４】
１      遊技機  １１    変動入賞装置  １３    演出表示部１５    中央ステージ１７    玉通路１９    玉移送部１９    丸棒（障害部）２１    特定入賞口（入賞口）２４    磁気シート部（磁気移送部）２４ｃ  マグネットシートＰ      遊技玉Ｍ      モータ（駆動モータ）
【図１】
2008245813.tif 000003
【図２】
2008245813.tif 000004
【図３】
2008245813.tif 000005
【図４】
2008245813.tif 000006
【図５】
2008245813.tif 000007